(57)【要約】【課題】第１及び第２の配線基板について、夫々に取り付けられた第１及び第２のコネクタを用いて、対面近接重ね合わせ連結による電気的相互接続状態におくこと、及び、斯かる状態からの解除を、容易かつ確実に行うことができる配線基板連結装置を提供する。【解決手段】配線基板１４に固定される絶縁ハウジング１３を備えたリセプタクルコネクタ１１と配線基板１６に固定される絶縁ハウジング１５を備えたプラグコネクタ１２とを含み、絶縁ハウジング１３に回動可能に取り付けられた係止部材１９が、回動操作されて、絶縁ハウジング１５に設けられた係合部３２に係合して絶縁ハウジング１５に対する係止を行う状態と係合部３２から離脱して絶縁ハウジング１５に対する係止を解除する状態とを選択的にとる。【選択図】図１
2018018786.tif 000002
【特許請求の範囲】
【請求項１】
第１の配線基板に固定される第１の絶縁ハウジング、及び、各々が上記第１の配線基板に設けられた配線端子部に接続される基板接続部を有して上記第１の絶縁ハウジングに配列配置された複数の第１のコンタクトを備えた第１のコネクタと、
第２の配線基板に固定されて上記第１の絶縁ハウジングとの嵌合状態をとる第２の絶縁ハウジング、及び、各々が上記第２の配線基板に設けられた配線端子部に接続される基板接続部を有して上記第２の絶縁ハウジングに配列配置され、上記複数の第１のコンタクトに夫々接触接続される状態をとる複数の第２のコンタクトを備えた第２のコネクタと、
を含んで構成され、
上記第１のコネクタが、操作部を有して上記第１の絶縁ハウジングに回動可能に取り付けられて上記第２の絶縁ハウジングを係止する状態をとる係止部材を備え、
上記第２のコネクタが、上記第２の絶縁ハウジングに設けられて上記係止部材との係合状態をとる係合部を有し、
上記第１の絶縁ハウジングに上記第２の絶縁ハウジングが嵌合したもとで、上記係止部材の操作部に上記係止部材を第１の方向に回動させる操作が加えられたとき、上記係止部材が上記係合部に係合して上記第２の絶縁ハウジングに対する係止を行い、その後、上記係止部材の操作部に上記係止部材を第１の方向とは逆の第２の方向に回動させる操作が加えられたとき、上記係止部材が上記係合部から離隔して上記第２の絶縁ハウジングに対する係止を解除することを特徴とする配線基板連結装置。
【請求項２】
上記第１の絶縁ハウジングが固定支軸部を有しており、上記係止部材が上記固定支軸部に係合する状態をもって上記第１の絶縁ハウジングに取り付けられることにより回動可能とされていることを特徴とする請求項１記載の配線基板連結装置。
【請求項３】
上記固定支軸部が、上記第１の絶縁ハウジングに固定された支持部材によって形成されていることを特徴とする請求項２記載の配線基板連結装置。
【請求項４】
上記係止部材が、上記固定支軸部に嵌合する透孔が設けられた中間部と該中間部から上記透孔を挟んで互いに逆方向に伸びる第１及び第２の腕状部とを有し、上記第１の腕状部の一端に上記操作部が配されており、上記係止部材が上記第２の絶縁ハウジングに対する係止を行うとき、上記第１及び第２の腕状部の各々が上記第２の絶縁ハウジングに設けられた係合部に係合することを特徴とする請求項２記載の配線基板連結装置。
【請求項５】
上記第１及び第２の腕状部の夫々に突出部分が形成されているとともに、上記第２の絶縁ハウジングに設けられた係合部にスリット部分が形成されていて、上記第１及び第２の腕状部の各々が上記第２の絶縁ハウジングに設けられた係合部に係合するとき、上記突出部分が上記スリット部分内に挿入されて該スリット部分によって挟持されることを特徴とする請求項４記載の配線基板連結装置。
【請求項６】
上記第１及び第２の腕状部の夫々が上記第１の絶縁ハウジングが固定された上記第１の配線基板の部品載置面に沿う方向に伸び、上記第１の腕状部の一端に配された上記操作部が上記第１の配線基板の部品載置面上に立設されることになる方向に伸びることを特徴とする請求項４記載の配線基板連結装置。
【請求項７】
上記第１の絶縁ハウジングが、固定支軸部と可動ストッパー部とを有していて、上記係止部材が上記固定支軸部により係合する状態をもって取り付けられて回動可能とされるとともに、上記係止部材が上記可動ストッパー部により位置規制される状態が上記第１の絶縁ハウジングに上記第２の絶縁ハウジングが嵌合していないもとでとられることを特徴とする請求項１記載の配線基板連結装置。
【請求項８】
上記固定支軸部及び上記可動ストッパー部が、上記第１の絶縁ハウジングに固定された支持部材によって形成されており、上記可動ストッパー部が弾性変位を生じるものとされたことを特徴とする請求項７記載の配線基板連結装置。
【請求項９】
上記第２の絶縁ハウジングに設けられた上記係合部が突出部を成していて、上記第１の絶縁ハウジングに上記第２の絶縁ハウジングが嵌合したとき、上記突出部を成す上記係合部が上記可動ストッパー部に押圧当接し、該可動ストッパー部に弾性変位を生じさせて上記係止部材に対する位置規制を解除する状態をとらせることを特徴とする請求項８記載の配線基板連結装置。
【発明の詳細な説明】
【技術分野】
【０００１】
本願の特許請求の範囲に記載された発明は、二つの配線基板が相互に対面近接して重ね合わせられるもとで、各配線基板に設けられた配線端子部に電気的に相互接続された状態をとらせて、両配線基板を連結する配線基板連結装置に関する。
【背景技術】
【０００２】
携帯電話機等の比較的小型な電子機器においても、種々の電子部品が多数内蔵されるが、それらの電子部品の多くは複数の配線基板に実装されて、各々の機能を果たすものとされる。各種の電子部品が実装された複数の配線基板は、例えば、それらのうちの二つについて見ると、比較的小型な電子機器の内部という限られたスペースに収容されるにあたって占有容積をできるだけ小とすべく、一方が他方に対面近接して重ね合わせられる配置をとって相互連結されざるを得ないものとされる。このような二つの配線基板のうちの一方が他方に対面近接して重ね合わせられる連結態様を、以下においては対面近接重ね合わせ連結ということとする。
【０００３】
一般に、各々がフレキシブル印刷配線基板（ＦＰＣ）あるいはソリッド配線基板等とされる複数の配線基板の相互連結は、各配線基板にコネクタが取り付けられ、それらのコネクタが相互接続されることにより行われることが多く、二つの配線基板についての対面近接重ね合わせ連結をする場合においても、各配線基板に取り付けられるコネクタを用いることが考えられる。従来にあっては、二つの配線基板についての対面近接重ね合わせ連結をするためのコネクタを含んだ基板連結装置が幾つか提案されている（例えば、特許文献１参照。）。
【０００４】
特許文献１に示される基板連結装置は、第１の配線基板（プリント基板(6))及び第２の配線基板（プリント基板(16)) が対面近接重ね合わせ連結の対象とされるもとで、第１の配線基板に取り付けられる第１のコネクタ（レセプタクルコネクタ(1))と第２の配線基板に取り付けられる第２のコネクタ（プラグコネクタ(11)) とを含んで構成されている。第１のコネクタは、ハウジング (インシュレータ(2))とそれに配列配置された複数の第１のコンタクト（コンタクト(3))を備えており、また、第２のコネクタは、ハウジング (インシュレータ(12)) とそれに配列配置された複数の第２のコンタクト（コンタクト(13)) を備えている。そして、第１のコネクタのハウジングには、複数の第１のコンタクトに加えて、弾性を有するロック部(4B)が設けられた補強金具 (嵌合ロック兼固定用ホールドダウン(4))が取り付けられており、また、第２のコネクタのハウジングには、複数の第２のコンタクトに加えて、被ロック受部(14A1)が設けられた補強金具 (嵌合被ロック兼固定用ホールドダウン(14)) が取り付けられている。
【０００５】
このようなもとで、第２の配線基板における第２のコネクタが取り付けられた面が第１の配線基板における第１のコネクタが取り付けられた面に対向するものとされて、第２の配線基板が第１の配線基板に対面近接して重ね合わせられる状態がとられ、それにより、第１のコネクタのハウジングと第２のコネクタのハウジングとが相互嵌合せしめられて、第２のコネクタのハウジングに配された複数の第２のコンタクトが、第１のコネクタのハウジングに配され複数の第１のコンタクトに夫々押圧接触するものとされる。その結果、第１のコネクタが備える複数の第１のコンタクトと第２のコネクタが備える複数の第２のコンタクトとが相互接続されて、第１の配線基板と第２の配線基板とについての対面近接重ね合わせ連結が行われる。
【０００６】
斯かる際、第１のコネクタのハウジングと第２のコネクタのハウジングとが相互嵌合せしめられるときには、第１のコネクタのハウジングに取り付けられた補強金具におけるロック部(4B)が、一旦、第２のコネクタのハウジングによる当接押圧を受けて変形を生じた後、自らの弾性復元力によって元に戻ろうとし、それにより、第２のコネクタのハウジングに取り付けられた補強金具における被ロック受部(14A1)に弾性押圧力を作用させつつ係合するものとされる。このようにして、第１のコネクタのハウジングにおけるロック部(4B)が第２のコネクタのハウジングにおける被ロック受部(14A1)に弾性押圧力を作用させつつ係合することにより、第２のコネクタのハウジングがロック部(4B)によって係止されることになるので、第２のコネクタのハウジングの第１のコネクタのハウジングからの不所望な離脱が阻止されることが期待される。
【先行技術文献】
【特許文献】
【０００７】
【特許文献１】特開２００３−２３４１５０号公報
【発明の概要】
【発明が解決しようとする課題】
【０００８】
上述のような、従来提案されている、二つの配線基板についての対面近接重ね合わせ連結をするための第１及び第２のコネクタを含んだ基板連結装置にあっては、次のような不都合が見られる。
【０００９】
特許文献１に示される基板連結装置にあっては、第１のコネクタのハウジングと第２のコネクタのハウジングとが相互嵌合せしめられたもとで、第１のコネクタのハウジングにおけるロック部(4B)が第２のコネクタのハウジングにおける被ロック受部(14A1)に弾性押圧力を作用させつつ係合することにより、第２のコネクタのハウジングに対するロック部(4B)による係止が行われることになるが、斯かるロック部(4B)によるその弾性復元力を利用しての第２のコネクタのハウジングに対する係止は、ロック部(4B)の経時変化がもたらす悪影響を受けることになる。ロック部(4B)は、第２のコネクタのハウジングに取り付けられた補強金具の一部分を成すものとされ、補強金具は、例えば、弾性金属板材に加工が施されて形成される。それゆえ、補強金具の一部を成すロック部(4B)は、その経年変化に伴う弾性復元力の低下を、所謂、“へたり”として生じるものとなって、第２のコネクタのハウジングに対する係止における不都合をもたらすことになる虞を伴っている。
【００１０】
斯かるもとで、補強金具の一部を成すロック部(4B)がその経年変化に伴って弾性復元力を低下させる“へたり”を生じると、第１のコネクタのハウジングと第２のコネクタのハウジングとが相互嵌合せしめられる際に、ロック部(4B)は、一旦、第２のコネクタのハウジングによる当接押圧を受けて変形を生じた後、自らの弾性復元力によって元に戻ろうとするとき、その弾性復元力の低下に起因して充分な復元状態が得られないものとなり、ロック部(4B)が第２のコネクタのハウジングに取り付けられた補強金具における被ロック受部(14A1)に弾性押圧力を作用させつつ係合する状態が適正に得られなくなる。その結果、ロック部(4B)による第２のコネクタのハウジングに対する係止が適正に行われなくなってしまうのである。
【００１１】
斯かる点に鑑み、本願の特許請求の範囲に記載された発明は、第１の配線基板と第２の配線基板とを対面近接重ね合わせ連結によって電気的に相互連結するための機構を成すものであって、第１の配線基板に固定される第１の絶縁ハウジングを有した第１のコネクタと第２の配線基板に固定される第２の絶縁ハウジングを有した第２のコネクタとを含んで構成され、第１の絶縁ハウジングと第２の絶縁ハウジングとが相互係合した状態のもとで、第１の絶縁ハウジングに取り付けられた係止部材と第２の絶縁ハウジングに設けられた係合部とを含んで成る係止手段により、弾性部材の弾性復元力を利用することなく、極めて簡単な操作をもって、第２の絶縁ハウジングの第１の絶縁ハウジングからの不所望な離脱を確実に阻止することができ、しかも、極めて簡単な操作をもって、第２の絶縁ハウジングを第１の絶縁ハウジングから無理なく離脱させ得る状態をとることができる配線基板連結装置を提供する。
【課題を解決するための手段】
【００１２】
本願の特許請求の範囲における請求項１から請求項９までのいずれかに記載された発明（以下、本願発明という。）に係る配線基板連結装置は、第１の配線基板に固定される第１の絶縁ハウジング、及び、各々が第１の配線基板に設けられた配線端子部に接続される基板接続部を有して第１の絶縁ハウジングに配列配置された複数の第１のコンタクトを備えた第１のコネクタと、第２の配線基板に固定されて第１の絶縁ハウジングとの嵌合状態をとる第２の絶縁ハウジング、及び、各々が第２の配線基板に設けられた配線端子部に接続される基板接続部を有して第２の絶縁ハウジングに配列配置され、複数の第１のコンタクトに夫々接触接続される状態をとる複数の第２のコンタクトを備えた第２のコネクタとを含んで構成される。そして、このような本願発明に係る配線基板連結装置においては、第１のコネクタが、操作部を有して第１の絶縁ハウジングに回動可能に取り付けられて第２の絶縁ハウジングを係止する状態をとる係止部材を備え、第２のコネクタが、第２の絶縁ハウジングに設けられて係止部材との係合状態をとる係合部を有し、第１の絶縁ハウジングに第２の絶縁ハウジングが嵌合したもとで、係止部材の操作部に係止部材を第１の方向に回動させる操作が加えられたとき、係止部材が係合部に係合して第２の絶縁ハウジングに対する係止を行い、その後、係止部材の操作部に係止部材を第１の方向とは逆の第２の方向に回動させる操作が加えられたとき、係止部材が係合部から離隔して第２の絶縁ハウジングに対する係止を解除する。
【００１３】
上述のような本願発明に係る配線基板連結装置にあっては、第２の配線基板における第２のコネクタが備える第２のハウジングが固定された面が、第１の配線基板における第１のコネクタが備える第１のハウジングが固定された面に対向するものとされて、第２の配線基板が第１の配線基板に対面近接して重ね合わせられたとき、第１のハウジングと第２のハウジングとが相互嵌合状態をとる。このとき、第２のハウジングに配列配置された複数の第２のコンタクトが、第１のハウジングに配列配置された複数の第１のコンタクトに夫々接触接続される。それにより、第１のコネクタと第２のコネクタとが相互接続状態におかれて、第２の配線基板に設けられた複数の配線端子部が、複数の第２のコンタクト及び複数の第１のコンタクトを介して、第１の配線基板に設けられた複数の配線端子部に夫々接触接続され、その結果、第１の配線基板と第２の配線基板とが対面近接重ね合わせ連結によって電気的に相互連結される。
【００１４】
また、本願発明に係る配線基板連結装置においては、第１の絶縁ハウジングに回動可能に取り付けられた係止部材と第２の絶縁ハウジングに設けられて係止部材との係合状態をとる係合部とを含んで成る係止手段が備えられていて、係止部材は、例えば、第１の絶縁ハウジングが有する固定支軸部に係合する状態をもって第１の絶縁ハウジングに取り付けられることにより回動可能とされ、また、係合部は、係止部材の部分が挿入されるスリット部分が形成されたものとされる。そして、第１のコネクタが備える第１の絶縁ハウジングに第２のコネクタが備える第２の絶縁ハウジングが嵌合したもとで、係止手段を構成する係止部材の操作部に当該係止部材を第１の方向に回動させる操作が加えられたとき、係止部材が、係止部材と共に係止手段を構成する係合部に係合して、第２の絶縁ハウジングに対する係止を行い、その後、係止部材の操作部に当該係止部材を第１の方向とは逆の第２の方向に回動させる操作が加えられたとき、係止部材が係合部から離隔して第２の絶縁ハウジングに対する係止を解除する。斯かる際、係止部材は、第２の絶縁ハウジングに対する係止及び係止の解除を、弾性復元力を利用することなく行う。
【００１５】
そして、係止部材は、例えば、第１の絶縁ハウジングが有する固定支軸部に嵌合する透孔が設けられた中間部と中間部から透孔を挟んで互いに逆方向に伸びる第１及び第２の腕状部とを有し、第１の腕状部の一端に操作部が配されたものとされていて、第２の絶縁ハウジングに対する係止を行うときには、第１及び第２の腕状部の各々が第２の絶縁ハウジングに設けられた係合部に係合する状態をとる。さらに、例えば、第１及び第２の腕状部の夫々には突出部分が形成されており、第１及び第２の腕状部の各々が第２の絶縁ハウジングに設けられた係合部に係合するときには、第１及び第２の腕状部の夫々に形成された突出部分が、第２の絶縁ハウジングに設けられた係合部に形成されたスリット部分内に挿入されてそのスリット部分によって挟持される。
【００１６】
さらに、本願発明に係る配線基板連結装置においては、例えば、第１の絶縁ハウジングが固定支軸部と可動ストッパー部とを有していて、係止部材が固定支軸部に係合する状態をもって第１の絶縁ハウジングに取り付けられることにより回動可能とされるとともに、係止部材の回動が可動ストッパー部により阻止される状態が第１の絶縁ハウジングに第２の絶縁ハウジングが嵌合していないもとでとられる。斯かるもとにあっては、例えば、固定支軸部及び可動ストッパー部が、第１の絶縁ハウジングに固定された支持部材によって形成されていて、可動ストッパー部が弾性変位を生じるものとされ、第１の絶縁ハウジングに第２の絶縁ハウジングが嵌合したときには、第２の絶縁ハウジングに設けられた突出部が可動ストッパー部に押圧当接して弾性変位を生じさせ、当該可動ストッパー部に係止部材の回動を阻止しない状態をとらせる。
【発明の効果】
【００１７】
本願発明に係る配線基板連結装置においては、第１のコネクタが備える第１の絶縁ハウジングと第２のコネクタが備える第２の絶縁ハウジングとが相互嵌合状態をとり、第２の絶縁ハウジングに配列配置された複数の第２のコンタクトが第１の絶縁ハウジングに配列配置された複数の第１のコンタクトに夫々接触接続されたもとで、第１の絶縁ハウジングに回動可能に取り付けられて係止手段を構成する係止部材の操作部に、当該係止部材を第１の方向に回動させる操作が加えられたとき、係止部材が、第２の絶縁ハウジングに設けられて係止部材と共に係止手段を構成する係合部に係合して、第２の絶縁ハウジングに対する係止を行い、それにより、第２のコネクタにおける第２の絶縁ハウジングの第１のコネクタにおける第１の絶縁ハウジングからの不所望な離脱が阻止される。また、係止部材が第２の絶縁ハウジングに対する係止状態をとるもとで、係止部材の操作部に当該係止部材を第１の方向とは逆の第２の方向に回動させる操作が加えられたとき、係止部材が係合部から離隔して第２の絶縁ハウジングに対する係止を解除する。それにより、第２のコネクが備える第２の絶縁ハウジングが、第１のコネクタが備える第１の絶縁ハウジングから離脱され得るものとされる。
【００１８】
そして、本願発明に係る配線基板連結装置にあっては、第１の絶縁ハウジングに取り付けられた係止部材は、第２の絶縁ハウジングに対する係止及び係止の解除を弾性復元力を利用することなく行うものとされているので、係止部材が、その経時変化に伴う弾性復元力の低下を生じて、第２の絶縁ハウジングに設けられた係合部に適正に係合することができなくなってしまうという事態を生じる虞が無い。
【００１９】
従って、本願発明に係る配線基板連結装置によれば、第１のコネクタが備える第１の絶縁ハウジングと第２のコネクタが備える第２の絶縁ハウジングとが相互嵌合した状態のもとで、第１の絶縁ハウジングに回動可能に取り付けられた係止部材と第２の絶縁ハウジングに設けられて係止部材との係合状態をとる係合部とを含んで成る係止手段により、弾性部材の弾性復元力を利用することなく、従って、例えば、係止部材が、その経時変化に伴う弾性復元力の低下を生じて、係合部に適正に係合することができなくなってしまうという事態を生じることなく、極めて簡単な操作をもって、第２の絶縁ハウジングの第１の絶縁ハウジングからの不所望な離脱を確実に阻止することができ、しかも、極めて簡単な操作をもって、第２の絶縁ハウジングを第１の絶縁ハウジングから無理なく離脱させ得る状態をとることができることになる。
【００２０】
また、係止部材は、例えば、第１の絶縁ハウジングが有する固定支軸部に嵌合する透孔が設けられた中間部と中間部から透孔を挟んで互いに逆方向に伸びる第１及び第２の腕状部とを有し、第１の腕状部の一端に操作部が配されたものとされていて、第２の絶縁ハウジングに対する係止を行うときには、第１及び第２の腕状部の各々が第２の絶縁ハウジングに設けられた係合部に係合する状態をとるものとされ、さらには、例えば、第１及び第２の腕状部の夫々には突出部分が形成されており、第１及び第２の腕状部の各々が第２の絶縁ハウジングに設けられた係合部に係合するときには、第１及び第２の腕状部の夫々に形成された突出部分が、第２の絶縁ハウジングに設けられた係合部に形成されたスリット部分内に挿入されてそのスリット部分によって挟持されるものとされるが、斯かる際には、係止部材による第２の絶縁ハウジングに対する係止が、より一層確実かつ堅固に行われることになる。
【００２１】
さらに、本願発明に係る配線基板連結装置においては、例えば、第１の絶縁ハウジングが固定支軸部と可動ストッパー部とを有していて、係止部材が固定支軸部に係合する状態をもって第１の絶縁ハウジングに取り付けられることにより回動可能とされるとともに、係止部材の回動が可動ストッパー部により阻止される状態が第１の絶縁ハウジングに第２の絶縁ハウジングが嵌合していないもとでとられるので、第１の絶縁ハウジングに第２の絶縁ハウジングが嵌合していないときには、第１の絶縁ハウジングに取り付けられた係止部材に、第２の絶縁ハウジングの第１の絶縁ハウジングに対する嵌合を妨げない位置を維持させることができる。
【図面の簡単な説明】
【００２２】
【図１】本願発明に係る配線基板連結装置の第１の例を構成するリセプタクルコネクタ及びプラグコネクタを、リセプタクルコネクタの絶縁ハウジングが固定された第１の配線基板及びプラグコネクタの絶縁ハウジングが固定された第２の配線基板（想像線をもって示されている。）と共に示す斜視図である。
【図２】図１に示されるリセプタクルコネクタを示す平面図である。
【図３】図１に示されるリセプタクルコネクタについての分解斜視図である。
【図４】図２におけるIV−IV線断面を示す断面図である。
【図５】図１に示されるプラグコネクタを示す側面図である。
【図６】図１に示されるプラグコネクタを示す斜視図である。
【図７】図１に示される第１の配線基板を伴ったリセプタクルコネクタと図１に示される第２の配線基板（想像線をもって示されている。）を伴ったプラグコネクタとが相互接続された状態を示す斜視図である。
【図８】図１に示されるリセプタクルコネクタとプラグコネクタとが相互接続され、リセプタクルコネクタに備えられた係止部材が第１の静止位置をとる状態を示す平面図である。
【図９】図１に示されるリセプタクルコネクタとプラグコネクタとが相互接続され、リセプタクルコネクタに備えられた係止部材が第１の静止位置をとる状態を示す底面図である。
【図１０】図８における X−X 線断面を示す断面図である。
【図１１】図８におけるXI−XI線断面を示す断面図である。
【図１２】図１に示されるリセプタクルコネクタとプラグコネクタとが相互接続され、リセプタクルコネクタに備えられた係止部材が第２の静止位置をとる状態を示す平面図である。
【図１３】図１に示されるリセプタクルコネクタとプラグコネクタとが相互接続され、リセプタクルコネクタに備えられた係止部材が第２の静止位置をとる状態を示す底面図である。
【図１４】図１２における XIV−XIV 線断面を示す断面図である。
【図１５】図１２におけるXV−XV線断面を示す断面図である。
【図１６】本願発明に係る配線基板連結装置の第２の例を構成するリセプタクルコネクタについての分解斜視図である。
【図１７】本願発明に係る配線基板連結装置の第２の例を構成するリセプタクルコネクタを示す断面図である。
【図１８】本願発明に係る配線基板連結装置の第２の例を構成するリセプタクルコネクタを示す底面図である。
【図１９】図１７及び図１８に示されるリセプタクルコネクタと本願発明に係る配線基板連結装置の第２の例を構成するプラグコネクタとが相互接続され、リセプタクルコネクタに備えられた係止部材が第１の静止位置をとる状態を、リセプタクルコネクタの絶縁ハウジングが固定された第１の配線基板及びプラグコネクタの絶縁ハウジングが固定された第２の配線基板と共に示す断面図である。
【図２０】図１７及び図１８に示されるリセプタクルコネクタと本願発明に係る配線基板連結装置の第２の例を構成するプラグコネクタとが相互接続され、リセプタクルコネクタに備えられた係止部材が第１の静止位置をとる状態を、リセプタクルコネクタの絶縁ハウジングが固定された第１の配線基板及びプラグコネクタの絶縁ハウジングが固定された第２の配線基板と共に示す断面図である。
【図２１】図１７及び図１８に示されるリセプタクルコネクタと本願発明に係る配線基板連結装置の第２の例を構成するプラグコネクタとが相互接続され、リセプタクルコネクタに備えられた係止部材が第２の静止位置をとる状態を示す断面図である。
【図２２】図１７及び図１８に示されるリセプタクルコネクタと本願発明に係る配線基板連結装置の第２の例を構成するプラグコネクタとが相互接続され、リセプタクルコネクタに備えられた係止部材が第２の静止位置をとる状態を示す底面図である。
【図２３】図１７及び図１８に示されるリセプタクルコネクタと本願発明に係る配線基板連結装置の第２の例を構成するプラグコネクタとが相互接続され、リセプタクルコネクタに備えられた係止部材が第２の静止位置をとる状態を示す断面図である。
【発明を実施するための形態】
【００２３】
本願発明を実施するための形態は、以下に述べられる本願発明に係る配線基板連結装置ついての実施例１及び実施例２１をもって説明される。
【実施例１】
【００２４】
図１は、本願発明に係る配線基板連結装置の第１の例を構成するリセプタクルコネクタ１１（第１のコネクタ）及びプラグコネクタ１２（第２のコネクタ）を、リセプタクルコネクタ１１の絶縁ハウジング１３（第１の絶縁ハウジング）が固定された配線基板１４（第１の配線基板）及びプラグコネクタ１２の絶縁ハウジング１５（第２の絶縁ハウジング）が固定された配線基板１６（第２の配線基板であって、想像線（二点鎖線）をもって示されている。）と共に示す。リセプタクルコネクタ１１の絶縁ハウジング１３は、配線基板１４における図１において上方に向いた部品載置面（以下、上面という）に固定されており、プラグコネクタ１２の絶縁ハウジング１５は、配線基板１６における図１において下方に向いた部品載置面面（以下、下面という）に固定されている。
【００２５】
リセプタクルコネクタ１１にあっては、図２〜図４にも示されるように、その絶縁ハウジング１３が、合成樹脂等の絶縁材料によって形成されていて、全体として矩形立方体状を成し、配線基板１４との間に空間を形成して当該上面に沿って拡がる状態をとる中間仕切板部１７を有したものとされている。中間仕切板部１７には、その中央部分に矩形透孔１７ａが形成され、さらに、その長手方向の両端部に一対の切欠き１７ｂが夫々形成されている。斯かる中間仕切板部１７は、図１において上方に向いた面（以下、仕切板上面という）とそれとは反対側の図１において下方に向いた面（以下、仕切板下面という）とを有しており、中間仕切板部１７と配線基板１４との間の空間は、中間仕切板部１７の仕切板下面と配線基板１４の上面との間に形成される。
【００２６】
絶縁ハウジング１３には、各々が弾性を有した導電性板材により形成された屈曲帯状部材を成す複数のリセプタクル側コンタクト１８（第１のコンタクト）が、夫々が絶縁ハウジング１３の長手方向に伸びる相互対向する２個の列を成して配列配置されている。複数のリセプタクル側コンタクト１８の夫々には、配線基板１４の上面に設けられた配線端子部（図示が省略されている。）に接続される基板接続部１８ａと、プラグコネクタ１２に備えられるプラグ側コンタクト３５（第２のコンタクト）に当接する接触接続部１８ｂとが、夫々帯状部材の両端部分を成すものとして設けられている。
【００２７】
また、リセプタクルコネクタ１１は、絶縁ハウジング１３に回動可能に取り付けられてプラグコネクタ１２の絶縁ハウジング１５を係止する状態をとる係止部材１９を備えている。係止部材１９は、図３に明示されているように、その全体が、例えば、金属板状材料に加工が施されて形成され、円形透孔２０ａが設けられた中間部２０と、中間部２０から円形透孔２０ａを挟んで互いに逆方向に伸びる一対の腕状部２１及び２２（第１の腕状部及び第２の腕状部）と、腕状部２１の一端に配された操作部２３とを有している。操作部２３は、腕状部２１の一端から図３における上方に立ち上がるものとされている。そして、腕状部２１には、図３における下方に突出する突出部分２１ａが腕状部２１の長手方向に沿って伸びるものとして形成されており、また、腕状部２２にも、図３における下方に突出する突出部分２２ａが腕状部２２の長手方向に沿って伸びるものとして形成されている。
【００２８】
係止部材１９の絶縁ハウジング１３への取付けは、絶縁ハウジング１３に固定される支持部材２４が用いられて行われる。支持部材２４は、図３に明示されているように、その全体が、例えば、金属材料に加工が施されて形成され、基部２５と、基部２５から突出する透孔係合部２６と、透孔係合部２６からさらに突出する圧入端部２７とを有している。透孔係合部２６は、その外周面の一部が円筒外周面の部分を成すものとされている。
【００２９】
支持部材２４の絶縁ハウジング１３に対する固定は、支持部材２４における圧入端部２７が絶縁ハウジング１３における中間仕切板部１７に形成された矩形透孔１７ａに圧入されることにより行われる。斯かる際には、図３に示される支持部材２４における圧入端部２７と透孔係合部２６とが、図３に示される係止部材１９における中間部２０に設けられた円形透孔２０ａに図３における下方側から挿入されて、圧入端部２７が円形透孔２０ａを通過するとともに透孔係合部２６が円形透孔２０ａ内に止まって、透孔係合部２６に円形透孔２０ａが嵌合する状態がとられ、それにより、係止部材１９が支持部材２４における基部２５によって支持されるものとされる。そして、図４に示されるように、係止部材１９を伴った支持部材２４が、係止部材１９における中間部２０と一対の腕状部２１及び２２とを絶縁ハウジング１３における中間仕切板部１７の仕切板下面に対面させるようにして、中間仕切板部１７に図４における下方側から近接せしめられ、支持部材２４における圧入端部２７が、中間仕切板部１７に形成された矩形透孔１７ａに圧入されて、係止部材１９が絶縁ハウジング１３に支持部材２４における透孔係合部２６を支軸として回動可能に取り付けられた状態が得られる。
【００３０】
斯かるもとにあっては、絶縁ハウジング１３は、それに固定された支持部材２４における透孔係合部２６によって形成される固定支軸部を有していることになり、中間部２０に設けられた円形透孔２０ａが支持部材２４における透孔係合部２６に嵌合するものとされた係止部材１９は、透孔係合部２６によって形成される固定支軸部に係合する状態をもって絶縁ハウジング１３に取り付けられることにより回動可能とされているのである。
【００３１】
このようにして係止部材１９が絶縁ハウジング１３に回動可能に取り付けられたリセプタクルコネクタ１１が、その絶縁ハウジング１３が配線基板１４の上面に固定された状態におかれたもとにおいては、係止部材１９における中間部２０と一対の腕状部２１及び２２とが絶縁ハウジング１３における中間仕切板部１７の仕切板下面と配線基板１４の上面との間に形成された空間部に配されるとともに、係止部材１９における操作部２３が、絶縁ハウジング１３における長手方向の一端部から絶縁ハウジング１３外に導出され、当該一端部に形成された凹部３０に配される。図１に示されるように、絶縁ハウジング１３が配線基板１４の上面に固定されたもとで、絶縁ハウジング１３に形成された凹部３０に配された係止部材１９における操作部２３は、配線基板１４の上面上に立設されたものとされる。
【００３２】
絶縁ハウジング１３に形成された凹部３０には、第１の操作部収容部３０ａと第２の操作部収容部３０ｂとが設けられている。係止部材１９における操作部２３は、凹部３０内において、第１の操作部収容部３０ａから第２の操作部収容部３０ｂへの移動、及び、第２の操作部収容部３０ｂから第１の操作部収容部３０ａへの移動を、絶縁ハウジング１３内における係止部材１９の回動を伴って行うことができる。そして、図１及び図２に示されるように係止部材１９における操作部２３が第１の操作部収容部３０ａに収容されたときには、絶縁ハウジング１３内において係止部材１９が第１の静止位置をとり、また、後述されるように係止部材１９における操作部２３が第２の操作部収容部３０ｂに収容されたときには、絶縁ハウジング１３内において係止部材１９が第２の静止位置をとる。
【００３３】
図１において想像線（二点鎖線）をもって示されている、プラグコネクタ１２の絶縁ハウジング１５が固定された下面を有する配線基板１６には、絶縁ハウジング１５がリセプタクルコネクタ１１の絶縁ハウジング１３との嵌合状態におかれたとき、リセプタクルコネクタ１１が備える係止部材１９における操作部２３が貫通することになる透孔３１が形成されている。
【００３４】
そして、プラグコネクタ１２は、図５及び図６（配線基板１６は、図示が省略されている。）にも示されるように、絶縁ハウジング１５が、合成樹脂等の絶縁材料によって形成されて、全体として矩形立方体状を成すものとされており、その絶縁ハウジング１５には、リセプタクルコネクタ１１が備える係止部材１９における一対の腕状部２１及び２２との係合状態を夫々とる一対の係合部３２が、それらの各々が突出部を成すものとして設けられている。一対の係合部３２の夫々にはスリット部分３２ａが形成されている。
【００３５】
絶縁ハウジング１５には、各々が弾性を有した導電性板材により形成された屈曲帯状部材を成す複数のプラグ側コンタクト３５が、夫々が絶縁ハウジング１５の長手方向に伸びる相互対向する２個の列を成して配列配置されている。複数のプラグ側コンタクト３５の各々には、第２の配線基板１６の下面に設けられた配線端子部（図示が省略されている。）に接続される基板接続部３５ａと、第１のコネクタを成すリセプタクルコネクタ１１に備えられたリセプタクル側コンタクト１８の接触接続部１８ｂが当接する接触接続部３５ｂとが、夫々帯状部材の両端部分を成すものとして設けられている。
【００３６】
このようなもとで、配線基板１６におけるプラグコネクタ１２の絶縁ハウジング１５が固定された下面が、配線基板１４におけるリセプタクルコネクタ１１の絶縁ハウジング１３が固定された上面に対向するものとされて、配線基板１６が配線基板１４に対面近接して重ね合わせられるとき、本願発明に係る配線基板連結装置の第１の例を構成する第１のコネクタ及び第２のコネクタを成すリセプタクルコネクタ１１及びプラグコネクタ１２が、リセプタクルコネクタ１１が備える絶縁ハウジング１３にプラグコネクタ１２が備える絶縁ハウジング１５を嵌合させて、相互接続状態をとる。
【００３７】
その際には、図７（配線基板１６の大部分が想像線によってあらわされた斜視図）、図８（配線基板１４及び配線基板１６の図示が省略された平面図）及び図９（配線基板１４及び配線基板１６の図示が省略された底面図）に示されるように、配線基板１６が、プラグコネクタ１２の絶縁ハウジング１５が固定された下面を、配線基板１４のリセプタクルコネクタ１１の絶縁ハウジング１３が固定された上面に近接させる位置をとって、配線基板１６が配線基板１４に対面近接して重ね合わせられるもとで、プラグコネクタ１２の絶縁ハウジング１５がリセプタクルコネクタ１１の絶縁ハウジング１３との各々の長手方向を一致させたもとでの嵌合状態をとる。それにより、配線基板１４を伴ったリセプタクルコネクタ１１と配線基板１６を伴ったプラグコネクタ１２とが相互接続状態におかれる。
【００３８】
このとき、プラグコネクタ１２の絶縁ハウジング１５のリセプタクルコネクタ１１の絶縁ハウジング１３との嵌合は、リセプタクルコネクタ１１に備えられた係止部材１９における操作部２３が絶縁ハウジング１３に形成された凹部３０における第１の操作部収容部３０ａに収容され、図９に示されるように、絶縁ハウジング１３内において係止部材１９が第１の静止位置をとるもとで行われる。そして、配線基板１４の上面上に立設されたものとされる係止部材１９における操作部２３は、図７に示されるように、配線基板１６に形成された透孔３１を配線基板１６の下面側から上面側へと貫通し、配線基板１６の上面外へと突出したものとされる。
【００３９】
また、図８における X−X 線断面をあらわす図１０にも示されるように、プラグコネクタ１２の絶縁ハウジング１５に、各々が突出部を成すものとして設けられた一対の係合部３２の夫々が、リセプタクルコネクタ１１の絶縁ハウジング１３における中間仕切板部１７に形成された切欠き１７ｂに夫々係合して、絶縁ハウジング１５の絶縁ハウジング１３に対する位置決めが行われる。そして、切欠き１７ｂに係合した係合部３２は、それに形成されたスリット部分３２ａを、中間仕切板部１７の仕切板下面と配線基板１４の上面との間に形成された空間部内に突出させる。
【００４０】
このようにして、プラグコネクタ１２の絶縁ハウジング１５がリセプタクルコネクタ１１の絶縁ハウジング１３に嵌合したもとにおいては、図８におけるXI−XI線断面をあらわす図１１に示されるように、プラグコネクタ１２の絶縁ハウジング１５に配列配置された複数のプラグ側コンタクト３５における接触接続部３５ｂにリセプタクルコネクタ１１の絶縁ハウジング１３に配列配置された複数のリセプタクル側コンタクト１８における接触接続部１８ｂが夫々当接して、複数のプラグ側コンタクト３５が複数のリセプタクル側コンタクト１８に接触接続される。それにより、複数のプラグ側コンタクト３５における基板接続部３５ａが夫々接続された配線基板１６に設けられた複数の配線端子部が、複数のプラグ側コンタクト３５及び複数のリセプタクル側コンタクト１８を介して、複数のリセプタクル側コンタクト１８における基板接続部１８ａが夫々接続された配線基板１４に設けられた複数の配線端子部に夫々連結され、配線基板１４と配線基板１６とが電気的に相互連結される。
【００４１】
そして、プラグコネクタ１２の絶縁ハウジング１５がリセプタクルコネクタ１１の絶縁ハウジング１３に嵌合したもとで、図１２〜図１４に示されるように、絶縁ハウジング１３に取り付けられた係止部材１９における操作部２３に、絶縁ハウジング１３に形成された凹部３０における第１の操作部収容部３０ａから第２の操作部収容部３０ｂへと移動せしめられる操作が加えられて、第２の操作部収容部３０ｂに収容される状態がとられると、それに伴って、絶縁ハウジング１３内において、絶縁ハウジング１３における中間仕切板部１７の仕切板下面と配線基板１４の上面との間に形成された空間部に配された係止部材１９における中間部２０及び一対の腕状部２１及び２２が、図１３及び図１２における XIV−XIV 線断面をあらわす図１４に示されるように、中間部２０に設けられた円形透孔２０ａが嵌合する支持部材２４における透孔係合部２６によって形成される固定支軸部を支軸として第１の方向に回転せしめられ、腕状部２１がプラグコネクタ１２の絶縁ハウジング１５に設けられた一対の係合部３２のうちの一方に係合するとともに、腕状部２２が一対の係合部３２のうちの他方に係合する。
【００４２】
斯かる際において、腕状部２１が一対の係合部３２のうちの一方に係合するにあたっては、図１２におけるXV−XV線断面をあらわす図１５に示されるように、腕状部２１に形成された突出部分２１ａが一対の係合部３２のうちの一方に形成されたスリット部分３２ａ内に挿入されて当該スリット部分３２ａによって堅固に挟持され、また、腕状部２２が一対の係合部３２のうちの他方に係合するにあたっては、腕状部２２に形成された突出部分２２ａが一対の係合部３２のうちの他方に形成されたスリット部分３２ａ内に挿入されて当該スリット部分３２ａによって堅固に挟持される。それにより、リセプタクルコネクタ１１の絶縁ハウジング１３に取り付けられた係止部材１９が、プラグコネクタ１２の絶縁ハウジング１５を係止する状態がとられ、絶縁ハウジング１５の絶縁ハウジング１３からの不所望な離脱が阻止されて、プラグコネクタ１２の絶縁ハウジング１５がリセプタクルコネクタ１１の絶縁ハウジング１３に嵌合した状態が安定に維持される。
【００４３】
その後、絶縁ハウジング１３に形成された凹部３０における第２の操作部収容部３０ｂに収容された係止部材１９における操作部２３に、第２の操作部収容部３０ｂから第１の操作部収容部３０ａへと移動せしめられる操作が加えられて、第１の操作部収容部３０ａに収容される状態がとられると、それに伴って、絶縁ハウジング１３内において、絶縁ハウジング１３における中間仕切板部１７の仕切板下面と配線基板１４の上面との間に形成された空間部に配された係止部材１９における中間部２０及び一対の腕状部２１及び２２が、中間部２０に設けられた円形透孔２０ａが嵌合する支持部材２４における透孔係合部２６によって形成される固定支軸部を支軸として第１の方向とは逆の第２の方向に回転せしめられ、腕状部２１がプラグコネクタ１２の絶縁ハウジング１５に設けられた一対の係合部３２のうちの一方との係合を解除して当該一対の係合部３２のうちの一方から離隔するとともに、腕状部２２がプラグコネクタ１２の絶縁ハウジング１５に設けられた一対の係合部３２のうちの他方との係合を解除して当該一対の係合部３２のうちの一方から離隔する。それにより、リセプタクルコネクタ１１の絶縁ハウジング１３に取り付けられた係止部材１９が、プラグコネクタ１２の絶縁ハウジング１５に対する係止を解除する状態がとられ、絶縁ハウジング１５の絶縁ハウジング１３からの離脱が可能とされる。
【００４４】
上述のリセプタクルコネクタ１１及びプラグコネクタ１２を含んで構成される本願発明に係る配線基板連結装置の第１の例にあっては、リセプタクルコネクタ１１の絶縁ハウジング１３に取り付けられた係止部材１９は、プラグコネクタ１２の絶縁ハウジング１５に設けられた係合部３２との係合による絶縁ハウジング１５に対する係止及び係止の解除を弾性復元力を利用することなく行うものとされている。従って、係止部材１９が、その経時変化に伴う弾性復元力の低下を生じて、プラグコネクタ１２の絶縁ハウジング１５に設けられた係合部３２に適正に係合することができなくなってしまうという事態を生じる虞は無い。
【００４５】
従って、本願発明に係る配線基板連結装置の第１の例によれば、リセプタクルコネクタ１１の絶縁ハウジング１３とプラグコネクタ１２の絶縁ハウジング１５とが相互嵌合した状態のもとで、絶縁ハウジング１３に回動可能に取り付けられた係止部材１９と絶縁ハウジング１５に設けられて係止部材１９との係合状態をとる係合部３２とを含んで成る係止手段により、弾性部材の弾性復元力を利用することなく、従って、例えば、係止部材１９が、その経時変化に伴う弾性復元力の低下を生じて、係合部３２に適正に係合することができなくなってしまうという事態を生じることなく、極めて簡単な操作をもって、絶縁ハウジング１５の絶縁ハウジング１３からの不所望な離脱を確実に阻止することができ、しかも、極めて簡単な操作をもって、絶縁ハウジング１５を絶縁ハウジング１３から無理なく離脱させ得る状態をとることができることになる。
【００４６】
また、係止部材１９は、絶縁ハウジング１３に取り付けられた支持部材２４における透孔係合部２６によって形成される固定支軸部に嵌合する円形透孔２０ａが設けられた中間部２０と中間部２０から円形透孔２０ａを挟んで互いに逆方向に伸びる一対の腕状部２１及び２２とを有し、腕状部２１の一端に操作部２３が配されたものとされていて、絶縁ハウジング１５に対する係止を行うときには、一対の腕状部２１及び２２が絶縁ハウジング１５に設けられた一対の係合部３２に夫々係合する状態をとるものとされ、さらには、一対の腕状部２１及び２２には突出部分２１ａ及び２２ａが夫々形成されており、腕状部２１及び２２が絶縁ハウジング１５に設けられた一対の係合部３２に夫々係合するときには、腕状部２１及び２２に夫々形成された突出部分２１ａ及び２２ａの各々が、絶縁ハウジング１５に設けられた係合部３２に形成されたスリット部分３２ａ内に挿入されてそのスリット部分３２ａによって挟持されるものとされるので、係止部材１９による絶縁ハウジング１５に対する係止が、より一層確実かつ堅固に行われることになる。
【実施例２】
【００４７】
図１６は、本願発明に係る配線基板連結装置の第２の例を、前述の図１に示されるプラグコネクタ１２と共に構成するリセプタクルコネクタ４１（第１のコネクタ）を分解して示す。リセプタクルコネクタ４１にあっては、前述の本願発明に係る配線基板連結装置の第１の例を構成するリセプタクルコネクタ１１と同様に構成された部材及び部分が多々備えられており、これらリセプタクルコネクタ１１と同様に構成された部材及び部分については、リセプタクルコネクタ１１と共通の符号が付されて示され、それらについての詳細説明は省略される。
【００４８】
リセプタクルコネクタ４１は、前述のリセプタクルコネクタ１１が備える絶縁ハウジング１３，複数のリセプタクル側コンタクト１８及び係止部材１９と夫々同様に構成された、絶縁ハウジング１３，絶縁ハウジング１３に配列配置される複数のリセプタクル側コンタクト１８、及び、絶縁ハウジング１３に回動可能に取り付けられる係止部材１９を備えている。但し、リセプタクルコネクタ４１が備える絶縁ハウジング１３は、前述のリセプタクルコネクタ１１が備える絶縁ハウジング１３と若干異なる部分（後述される被圧入部５１が設けられた部分）を有している。そして、斯かる絶縁ハウジング１３は、前述の配線基板１４に相当する配線基板５０（第１の配線基板であって図１９及び図２０に示されている。）の部品載置面に固定される。そして、リセプタクルコネクタ４１は、リセプタクルコネクタ１１が備える支持部材２４に代えて、絶縁ハウジング１３に固定される支持部材４２を備えており、係止部材１９の絶縁ハウジング１３への取付けは支持部材４２が用いられて行われる。
【００４９】
支持部材４２は、図１６に明示されているように、その全体が、例えば、弾性金属板材に加工が施されて形成され、基部４３と、基部４３から切り起こされて突出する圧入支軸部４４と、各々が基部４３から屈曲して伸びて圧入支軸部４４を挟んで相互対向する一対の圧入片部４５と、基部４３から圧入支軸部４４を挟んで互いに逆方向に伸びる一対の弾性腕状部４６とを有しており、一対の弾性腕状部４６の夫々の自由端部が係止部材１９に対する位置規制を行う状態をとる可動ストッパー部４７を形成している。一対の弾性腕状部４６に夫々設けられた一対の可動ストッパー部４７は、各々が圧入支軸部４４の突出方向と同方向に隆起したものとされている。
【００５０】
支持部材４２の絶縁ハウジング１３に対する固定は、支持部材４２における圧入支軸部４４が絶縁ハウジング１３における中間仕切板部１７に形成された矩形透孔１７ａに、中間仕切板部１７の下面側から圧入されるとともに、支持部材４２における一対の圧入片部４５が、絶縁ハウジング１３に設けられた一対の被圧入部５１（図１８に示されている。）に中間仕切板部１７の下面側から夫々圧入されることにより行われる。斯かる際には、図１６に示される支持部材４２における圧入支軸部４４が、図１６に示される係止部材１９における中間部２０に設けられた円形透孔２０ａに図１６における下方側から挿入されて、円形透孔２０ａが圧入支軸部４４に嵌合する状態がとられる。それにより、係止部材１９が支持部材４２における基部４３によって支持されるものとされる。そして、図１７に示されるように、係止部材１９を伴った支持部材４２が、係止部材１９における中間部２０と一対の腕状部２１及び２２とを絶縁ハウジング１３における中間仕切板部１７の仕切板下面に対面させるようにして、中間仕切板部１７に図１７における下方側から近接せしめられ、支持部材４２における圧入支軸部４４の先端部分が、絶縁ハウジング１３における中間仕切板部１７に形成された矩形透孔１７ａに押圧挿入されて、係止部材１９が絶縁ハウジング１３に支持部材４２における圧入支軸部４４を支軸として回動可能に取り付けられた状態が得られる。
【００５１】
斯かるもとにあっては、絶縁ハウジング１３は、それに固定された支持部材４２における圧入支軸部４４によって形成される固定支軸部を有していることになり、中間部２０に設けられた円形透孔２０ａが支持部材４２における圧入支軸部４４に嵌合するものとされた係止部材１９は、圧入支軸部４４によって形成される固定支軸部に係合する状態をもって絶縁ハウジング１３に取り付けられることにより回動可能とされているのである。
【００５２】
このようにして係止部材１９が絶縁ハウジング１３に回動可能に取り付けられたリセプタクルコネクタ４１が、その絶縁ハウジング１３が配線基板５０の部品載置面に固定された状態におかれたもとにおいては、係止部材１９における中間部２０と一対の腕状部２１及び２２とが、絶縁ハウジング１３における中間仕切板部１７の仕切板下面と配線基板５０の部品載置面との間に形成された空間部に配されるとともに、係止部材１９における操作部２３が、絶縁ハウジング１３における長手方向の一端部から絶縁ハウジング１３外に導出され、当該一端部に形成された凹部３０に配される。絶縁ハウジング１３が配線基板５０に固定されたもとで、絶縁ハウジング１３に形成された凹部３０に配された係止部材１９における操作部２３は、配線基板５０の部品載置面上に立設されたものとされる。
【００５３】
また、絶縁ハウジング１３が配線基板５０の部品載置面に固定された状態におかれたときには、支持部材４２における基部４３と各々の自由端部が可動ストッパー部４７を形成するものとされた一対の弾性腕状部４６とが、絶縁ハウジング１３における中間仕切板部１７の仕切板下面と配線基板５０の部品載置面との間に形成された空間部に配されたものとされる。そして、図１７及び図１８に示されるように、支持部材４２に設けられた一対の可動ストッパー部４７が、第１の静止位置をとる状態におかれた係止部材１９における一対の腕状部２１及び２２に夫々近接した位置に配されて、係止部材１９に対する位置規制を行って係止部材１９に第１の静止位置を維持させるものとされている。例えば、図１８に示されるように第１の静止位置をとる状態におかれた係止部材１９が、支持部材４２における圧入支軸部４４によって形成される固定支軸部を支軸として回動せしめられようとすると、支持部材４２における一対の可動ストッパー部４７が、係止部材１９における一対の腕状部２１及び２２に夫々当接して腕状部２１及び２２の各々の回動を阻止し、第１の静止位置をとる状態におかれた係止部材１９に対する位置規制を行う。
【００５４】
このようなもとで、図１９及び図２０に示されるように、前述の図１において想像線（二点鎖線）をもって示されている配線基板１６におけるプラグコネクタ１２の絶縁ハウジング１５が固定された下面が、配線基板５０におけるリセプタクルコネクタ４１の絶縁ハウジング１３が固定された部品載置面（以下、上面（配線基板５０の上面）という。）に対向するものとされて、配線基板１６が配線基板５０に対面近接して重ね合わせられるとき、本願発明に係る配線基板連結装置の第２の例を構成する第１のコネクタ及び第２のコネクタを成すリセプタクルコネクタ４１及びプラグコネクタ１２が、リセプタクルコネクタ４１が備える絶縁ハウジング１３にプラグコネクタ１２が備える絶縁ハウジング１５を嵌合させて、相互接続状態をとる。
【００５５】
プラグコネクタ１２の絶縁ハウジング１５がリセプタクルコネクタ４１の絶縁ハウジング１３との嵌合状態をとるにあたっては、図２０及び図２１に示されるように、プラグコネクタ１２の絶縁ハウジング１５に各々が突出部を成すものとして設けられた一対の係合部３２の夫々が、リセプタクルコネクタ１１の絶縁ハウジング１３における中間仕切板部１７に形成された切欠き１７ｂに係合して、絶縁ハウジング１５の絶縁ハウジング１３に対する位置決めが行われ、切欠き１７ｂに係合した係合部３２は、それに形成されたスリット部分３２ａを、中間仕切板部１７の仕切板下面と配線基板５０の上面との間に形成された空間部内に突出させる。斯かる際、プラグコネクタ１２の絶縁ハウジング１５に設けられた突出部を成す係合部３２の、リセプタクルコネクタ１１の絶縁ハウジング１３における中間仕切板部１７に形成された切欠き１７ｂとの係合は、リセプタクルコネクタ４１に備えられた係止部材１９における操作部２３が絶縁ハウジング１３に形成された凹部３０における第１の操作部収容部３０ａに収容され、図１８に示されるように、絶縁ハウジング１３内において係止部材１９が、第１の静止位置をとり、絶縁ハウジング１３に固定された支持部材４２における一対の可動ストッパー部４７による位置規制を受けて、第１の静止位置を維持するものとされたもとで行われるので、絶縁ハウジング１５に設けられた突出部を成す係合部３２の、それに形成されたスリット部分３２ａを、絶縁ハウジング１３における中間仕切板部１７に形成された切欠き１７ｂを通じて、中間仕切板部１７の仕切板下面と配線基板５０の上面との間に形成された空間部内に突出させる移動が、絶縁ハウジング１３内に配された係止部材１９によって妨げられる事態は生じない。
【００５６】
そして、プラグコネクタ１２の絶縁ハウジング１５がリセプタクルコネクタ４１の絶縁ハウジング１３との嵌合状態をとったときには、図２０及び図２１に示されるように、各々が絶縁ハウジング１３における中間仕切板部１７に形成された切欠き１７ｂを通じて中間仕切板部１７の仕切板下面と配線基板５０の上面との間に形成された空間部内に突出するものとされた、絶縁ハウジング１５に設けられた一対の係合部３２のスリット部分３２ａが、当該空間部内に配された支持部材４２における一対の弾性腕状部４６の夫々の自由端部が形成する一対の可動ストッパー部４７に、中間仕切板部１７の仕切板下面側から夫々押圧当接して、中間仕切板部１７の仕切板下面から配線基板５０の上面に向かう方向の弾性変位を生じさせる。それにより、一対の弾性腕状部４６の夫々の自由端部が形成する一対の可動ストッパー部４７が、係止部材１９における一対の腕状部２１及び２２に夫々近接した位置から離隔せしめられ、係止部材１９に対する位置規制を解除するものとされる。その結果、係止部材１９が、支持部材４２における圧入支軸部４４によって形成される固定支軸部を支軸として回動せしめられ得る状態におかれる。
【００５７】
このようにして、プラグコネクタ１２の絶縁ハウジング１５がリセプタクルコネクタ４１の絶縁ハウジング１３に嵌合したもとにおいては、プラグコネクタ１２の絶縁ハウジング１５に配列配置された複数のプラグ側コンタクト３５における接触接続部３５ｂにリセプタクルコネクタ４１の絶縁ハウジング１３に配列配置された複数のリセプタクル側コンタクト１８における接触接続部１８ｂが夫々当接して、複数のプラグ側コンタクト３５が複数のリセプタクル側コンタクト１８に接触接続される。それにより、複数のプラグ側コンタクト３５における基板接続部３５ａが夫々接続された配線基板１６に設けられた複数の配線端子部が、複数のプラグ側コンタクト３５及び複数のリセプタクル側コンタクト１８を介して、複数のリセプタクル側コンタクト１８における基板接続部１８ａが夫々接続された配線基板５０に設けられた複数の配線端子部に夫々連結され、配線基板１４と配線基板５０とが電気的に相互連結される。
【００５８】
そして、プラグコネクタ１２の絶縁ハウジング１５がリセプタクルコネクタ４１の絶縁ハウジング１３に嵌合したもとで、絶縁ハウジング１３に取り付けられた係止部材１９における操作部２３に、絶縁ハウジング１３に形成された凹部３０における第１の操作部収容部３０ａから第２の操作部収容部３０ｂへと移動せしめられる操作が加えられて、図２２に示されるように、操作部２３が第２の操作部収容部３０ｂに収容される状態がとられると、それに伴って、絶縁ハウジング１３内において、絶縁ハウジング１３における中間仕切板部１７の仕切板下面と配線基板５０の上面との間に形成された空間部に配された係止部材１９における中間部２０及び一対の腕状部２１及び２２が、図２２及び図２３に示されるように、中間部２０に設けられた円形透孔２０ａが嵌合する支持部材４２における圧入支軸部４４によって形成される固定支軸部を支軸として第１の方向に回転せしめられ、腕状部２１がプラグコネクタ１２の絶縁ハウジング１５に設けられた一対の係合部３２のうちの一方に係合するとともに、腕状部２２が一対の係合部３２のうちの他方に係合する。
【００５９】
斯かる際において、腕状部２１が一対の係合部３２のうちの一方に係合するにあたっては、図２３に示されるように、腕状部２１に形成された突出部分２１ａが一対の係合部３２のうちの一方に形成されたスリット部分３２ａ内に挿入されて当該スリット部分３２ａによって堅固に挟持され、また、腕状部２２が一対の係合部３２のうちの他方に係合するにあたっては、腕状部２２に形成された突出部分２２ａが一対の係合部３２のうちの他方に形成されたスリット部分３２ａ内に挿入されて当該スリット部分３２ａによって堅固に挟持される。それにより、リセプタクルコネクタ４１の絶縁ハウジング１３に取り付けられた係止部材１９が、プラグコネクタ１２の絶縁ハウジング１５を係止する状態がとられ、絶縁ハウジング１５の絶縁ハウジング１３からの不所望な離脱が阻止されて、プラグコネクタ１２の絶縁ハウジング１５がリセプタクルコネクタ４１の絶縁ハウジング１３に嵌合した状態が安定に維持される。
【００６０】
その後、絶縁ハウジング１３に形成された凹部３０における第２の操作部収容部３０ｂに収容された係止部材１９における操作部２３に、第２の操作部収容部３０ｂから第１の操作部収容部３０ａへと移動せしめられる操作が加えられて、第１の操作部収容部３０ａに収容される状態がとられると、それに伴って、絶縁ハウジング１３内において、絶縁ハウジング１３における中間仕切板部１７の仕切板下面と配線基板５０の上面との間に形成された空間部に配された係止部材１９における中間部２０及び一対の腕状部２１及び２２が、中間部２０に設けられた円形透孔２０ａが嵌合する支持部材４２における圧入支軸部４４によって形成される固定支軸部を支軸として第１の方向とは逆の第２の方向に回転せしめられ、腕状部２１がプラグコネクタ１２の絶縁ハウジング１５に設けられた一対の係合部３２のうちの一方との係合を解除して当該一対の係合部３２のうちの一方から離隔するとともに、腕状部２２がプラグコネクタ１２の絶縁ハウジング１５に設けられた一対の係合部３２のうちの他方との係合を解除して当該一対の係合部３２のうちの一方から離隔する。それにより、リセプタクルコネクタ４１の絶縁ハウジング１３に取り付けられた係止部材１９が、プラグコネクタ１２の絶縁ハウジング１５に対する係止を解除する状態がとられ、絶縁ハウジング１５の絶縁ハウジング１３からの離脱が可能とされる。
【００６１】
そして、プラグコネクタ１２の絶縁ハウジング１５がリセプタクルコネクタ４１の絶縁ハウジング１３から離脱せしめられると、プラグコネクタ１２の絶縁ハウジング１５に各々が突出部を成すものとして設けられた一対の係合部３２の夫々が、リセプタクルコネクタ４１の絶縁ハウジング１３における中間仕切板部１７に形成された切欠き１７ｂとの係合から解放されて、係合部３２に形成されたスリット部分３２ａが、中間仕切板部１７の仕切板下面と配線基板５０の上面との間に形成された空間部外におかれる。それにより、中間仕切板部１７の仕切板下面と配線基板５０の上面との間に形成された空間部内において、プラグコネクタ１２の絶縁ハウジング１５に設けられた一対の係合部３２により弾性変位せしめられていた支持部材４２における一対の弾性腕状部４６の夫々が、自らの弾性によって元の位置に復元する。
【００６２】
上述のリセプタクルコネクタ４１及びプラグコネクタ１２を含んで構成される本願発明に係る配線基板連結装置の第２の例にあっては、リセプタクルコネクタ４１の絶縁ハウジング１３に取り付けられた係止部材１９は、プラグコネクタ１２の絶縁ハウジング１５に設けられた係合部３２との係合による絶縁ハウジング１５に対する係止及び係止の解除を弾性復元力を利用することなく行うものとされている。従って、係止部材１９が、その経時変化に伴う弾性復元力の低下を生じて、プラグコネクタ１２の絶縁ハウジング１５に設けられた係合部３２に適正に係合することができなくなってしまうという事態を生じる虞は無い。
【００６３】
従って、本願発明に係る配線基板連結装置の第２の例によれば、リセプタクルコネクタ４１の絶縁ハウジング１３とプラグコネクタ１２の絶縁ハウジング１５とが相互嵌合した状態のもとで、絶縁ハウジング１３に回動可能に取り付けられた係止部材１９と絶縁ハウジング１５に設けられて係止部材１９との係合状態をとる係合部３２とを含んで成る係止手段により、弾性部材の弾性復元力を利用することなく、従って、例えば、係止部材１９が、その経時変化に伴う弾性復元力の低下を生じて、係合部３２に適正に係合することができなくなってしまうという事態を生じることなく、極めて簡単な操作をもって、絶縁ハウジング１５の絶縁ハウジング１３からの不所望な離脱を確実に阻止することができ、しかも、極めて簡単な操作をもって、絶縁ハウジング１５を絶縁ハウジング１３から無理なく離脱させ得る状態をとることができることになる。
【００６４】
また、係止部材１９は、絶縁ハウジング１３に取り付けられた支持部材４２における圧入支軸部４４によって形成される固定支軸部に嵌合する円形透孔２０ａが設けられた中間部２０と中間部２０から円形透孔２０ａを挟んで互いに逆方向に伸びる一対の腕状部２１及び２２とを有し、腕状部２１の一端に操作部２３が配されたものとされていて、絶縁ハウジング１５に対する係止を行うときには、一対の腕状部２１及び２２が絶縁ハウジング１５に設けられた一対の係合部３２に夫々係合する状態をとるものとされ、さらには、一対の腕状部２１及び２２には突出部分２１ａ及び２２ａが夫々形成されており、腕状部２１及び２２が絶縁ハウジング１５に設けられた一対の係合部３２に夫々係合するときには、腕状部２１及び２２に夫々形成された突出部分２１ａ及び２２ａの各々が、絶縁ハウジング１５に設けられた係合部３２に形成されたスリット部分３２ａ内に挿入されてそのスリット部分３２ａによって挟持されるものとされるので、係止部材１９による絶縁ハウジング１５に対する係止が、より一層確実かつ堅固に行われることになる。
【００６５】
さらに、リセプタクルコネクタ４１の絶縁ハウジング１３に固定された支持部材４２が、各々の自由端部が可動ストッパー部４７を形成するものとされた一対の弾性腕状部４６を有したものとされ、プラグコネクタ１２の絶縁ハウジング１５がリセプタクルコネクタ４１の絶縁ハウジング１３に嵌合していないもとにおいて、一対の弾性腕状部４６が夫々形成する一対の可動ストッパー部４７が、絶縁ハウジング１３に回動可能に取り付けられた係止部材１９に対する位置規制を行って係止部材１９に第１の静止位置を維持させるものとされるので、プラグコネクタ１２の絶縁ハウジング１５のリセプタクルコネクタ４１の絶縁ハウジング１３との嵌合が、絶縁ハウジング１３内において係止部材１９によって妨げられる事態を回避することができる。
【産業上の利用可能性】
【００６６】
以上のような本願発明に係る配線基板連結装置は、第１の配線基板と第２の配線基板とを対面近接重ね合わせ連結によって電気的に相互連結するための機構を成すものであって、第１の配線基板に固定される第１の絶縁ハウジングを有した第１のコネクタと第２の配線基板に固定される第２の絶縁ハウジングを有した第２のコネクタとを含んで構成され、第１の絶縁ハウジングと第２の絶縁ハウジングとが相互係合した状態のもとで、第１の絶縁ハウジングに取り付けられた係止部材と第２の絶縁ハウジングに設けられた係合部とを含んで成る係止手段により、弾性部材の弾性復元力を利用することなく、極めて簡単な操作をもって、第２の絶縁ハウジングの第１の絶縁ハウジングからの不所望な離脱を確実に阻止することができ、しかも、極めて簡単な操作をもって、第２の絶縁ハウジングを第１の絶縁ハウジングから無理なく離脱させ得る状態をとることができるものとして、様々な電子機器等に広く適用され得るものである。
【符号の説明】
【００６７】
１1 ，４１・・・リセプタクルコネクタ（第１のコネクタ），  １２・・・プラグコネクタ（第２のコネクタ），  １３・・・絶縁ハウジング（第１の絶縁ハウジング），  １５・・・絶縁ハウジング（第２の絶縁ハウジング），１４，５０・・・配線基板（第１の配線基板），  １６・・・配線基板（第２の配線基板），  １７・・・中間仕切板部，  １７ａ・・・矩形透孔，  １７ｂ・・・切欠き，  １８・・・リセプタクル側コンタクト（第１のコンタクト），  １８ａ，３５ａ・・・基板接続部，  １８ｂ，３５ｂ・・・接触接続部，  １９・・・係止部材，  ２０・・・中間部，  ２０ａ・・・円形透孔，  ２１，２２・・・腕状部，  ２１ａ，２２ａ・・・突出部分，  ２３・・・操作部，  ２４，４２・・・支持部材，  ２５，４３・・・基部，  ２６・・・透孔係合部，  ２７・・・圧入端部，  ３０・・・凹部，  ３０ａ・・・第１の操作部収容部，  ３０ｂ・・・第２の操作部収容部，  ３１・・・透孔，  ３２・・・係合部，  ３２ａ・・・スリット部分，  ３５・・・プラグ側コンタクト（第２のコンタクト），  ４４・・・圧入支軸部，  ４５・・・圧入片部，  ４６・・・弾性腕状部，  ４７・・・可動ストッパー部，  ５１・・・被圧入部
【図１】
2018018786.tif 000003
【図２】
2018018786.tif 000004
【図３】
2018018786.tif 000005
【図４】
2018018786.tif 000006
【図５】
2018018786.tif 000007
【図６】
2018018786.tif 000008
【図７】
2018018786.tif 000009
【図８】
2018018786.tif 000010
【図９】
2018018786.tif 000011
【図１０】
2018018786.tif 000012
【図１１】
2018018786.tif 000013
【図１２】
2018018786.tif 000014
【図１３】
2018018786.tif 000015
【図１４】
2018018786.tif 000016
【図１５】
2018018786.tif 000017
【図１６】
2018018786.tif 000018
【図１７】
2018018786.tif 000019
【図１８】
2018018786.tif 000020
【図１９】
2018018786.tif 000021
【図２０】
2018018786.tif 000022
【図２１】
2018018786.tif 000023
【図２２】
2018018786.tif 000024
【図２３】
2018018786.tif 000025